(57)【要約】【課題】動画配信のサービスの向上を図ることことを目的とする。【解決手段】動画配信システム１は、動画データを再生する携帯型無線通信機２と、携帯型無線通信機２がネットワーク３を介して接続可能なサーバ４と、を備える。携帯型無線通信機２は、再生すべき動画データに対応する２次元コード６が付された書籍７から２次元コード６を読み取り、読み取られた２次元コード６に対応する動画データの配信要求をサーバ４に送信し、サーバ４から配信されてきた動画データを再生する。サーバ４は、携帯型無線通信機２から送信されてきた配信要求に基づいて、携帯型無線通信機２の種類を判別し、配信要求に対応する動画データのうち、判別された種類の携帯型無線通信機２の動画データ再生能力に応じた動画データを取得し、取得された動画データを携帯型無線通信機２に配信する。【選択図】図１
2009105591.tif 000002
【特許請求の範囲】
【請求項１】
動画データを再生する携帯型無線通信機と、
当該携帯型無線通信機がネットワークを介して接続可能なサーバと、を備え、
前記携帯型無線通信機は、
前記再生すべき動画データに対応する２次元コードが付された書籍から前記２次元コードを読み取る２次元コード読取手段と、
前記読み取られた２次元コードに対応する動画データの配信要求を前記サーバに送信する配信要求送信手段と、
前記サーバから配信されてきた動画データを再生する再生手段と、を有し、
前記サーバは、
前記携帯型無線通信機から送信されてきた前記配信要求に基づいて、当該携帯型無線通信機の種類を判別する種類判別手段と、
前記配信要求に対応する動画データのうち、前記判別された種類の携帯型無線通信機の動画データ再生能力に応じた動画データを取得する取得手段と、
前記取得された動画データを前記携帯型無線通信機に配信する配信手段と、を有することを特徴とする動画配信システム。
【請求項２】
請求項１に記載の動画配信システムにおいて、
前記サーバの前記取得手段は、
前記配信要求が送信されてきた時刻に対応した内容の動画データを取得することを特徴する動画配信システム。
【請求項３】
請求項１または請求項２に記載の動画配信システムにおいて、
前記サーバは、
前記携帯型無線通信機から送信されてきた前記配信要求に基づいて、当該携帯型無線通信機を利用するユーザを識別するユーザ識別手段と、
前記識別されたユーザのユーザ情報を記憶手段から取得するユーザ情報取得手段と、を更に有し、
前記サーバの前記取得手段は、前記取得されたユーザ情報に応じた内容の動画データを取得することを特徴とする動画配信システム。
【発明の詳細な説明】
【技術分野】
【０００１】
本発明は、２次元コードに基づき動画を配信する動画配信システムに関する。
【背景技術】
【０００２】
従来、携帯電話といった携帯型無線通信機に容易にユーザ登録及び動画のアップ・配信ができる動画配信システムとして、たとえば、２次元バーコードを介した動画配信システムが開示されている（特許文献１）。この動画配信システムは、以下のような構成を有している。ユーザは携帯電話にて２次元バーコードシールの表面を撮像し、ｗｅｂアドレスとユーザＩＤを得る。得られたｗｅｂアドレスによりアクセスデータ管理部に接続してユーザＩＤを送信すると、ユーザデータ管理部が携帯電話から送信されたユーザ情報をユーザＩＤと関連づけてユーザデータベースに保存し、マルチメディアデータ受信部が携帯電話から送信されたマルチメディアデータを受信し、マルチメディアデータ管理部がユーザＩＤと関連づけてユーザデータベースに保存する。その後、いずれかの携帯電話により２次元バーコードシールの表面を撮像すると、マルチメディアデータ配信部がユーザＩＤで特定されるマルチメディアデータをユーザデータベースから読み出し、携帯電話に配信する。
【特許文献１】特開２００７−１７４２２７号公報
【発明の開示】
【発明が解決しようとする課題】
【０００３】
しかしながら、携帯電話を提供する電気通信事業者(以下、通信キャリアと称する)が採用する通信方式や携帯電話の機種の能力により、ストリーミング再生やダウンロード再生といった動画の再生の仕方が異なったり、動画が再生できなかったり、動画の画質が異なったりしていた。したがって携帯電話に動画を配信する際、通信キャリアの違いを意識してコンテンツを作成したり、QRコード（登録商標）といった２次元コードを通信キャリア毎に用意する必要があったりしていたため、配信作業が煩雑であったり、エンドユーザもキャリアの違いを意識する必要があったり、機種の能力に応じた最適な動画の画質を送れない等、サービスの向上が十分に図れていなかった。
【０００４】
また、２次元コードの利用もパンフレットや新聞や名刺におけるウェブアドレスやメールアドレスの紹介や数十秒といった短い時間の動画広告程度に限られ、多数の２次元コードを用い、多種類の動画を配信することは行われてなかった。
【０００５】
本発明は、以上の点に鑑みなされたものであり、動画配信のサービスの向上を図ることことを目的とする。
【課題を解決するための手段】
【０００６】
上記の課題を解決するために、請求項１に記載の発明は、動画データを再生する携帯型無線通信機と、当該携帯型無線通信機がネットワークを介して接続可能なサーバと、を備え、前記携帯型無線通信機は、前記再生すべき動画データに対応する２次元コードが付された書籍から前記２次元コードを読み取る２次元コード読取手段と、前記読み取られた２次元コードに対応する動画データの配信要求を前記サーバに送信する配信要求送信手段と、前記サーバから配信されてきた動画データを再生する再生手段と、を有し、前記サーバは、前記携帯型無線通信機から送信されてきた前記配信要求に基づいて、当該携帯型無線通信機の種類を判別する種類判別手段と、前記配信要求に対応する動画データのうち、前記判別された種類の携帯型無線通信機の動画データ再生能力に応じた動画データを取得する取得手段と、前記取得された動画データを前記携帯型無線通信機に配信する配信手段と、を備える。
【０００７】
よって、様々な種類の携帯型無線通信機に対しても書籍に関連した内容の動画をスムーズに配信でき、書籍の内容を的確に補足し強化できる。したがって、動画配信のサービスの向上を図ることができる。
【０００８】
また、請求項２に記載の発明は、請求項１に記載の動画配信システムにおいて、前記サーバの前記取得手段は、前記配信要求が送信されてきた時刻に対応した内容の動画データを取得する。
【０００９】
よって、書籍の内容により時刻に応じた動画データを配信したい場合、動画データの配色や風景や音楽等を朝や夜等に合わせて変えることにより、ユーザが動画の内容を受け取りやすくなる。したがって、ユーザに対する動画配信のサービスの向上を図ることができる。
【００１０】
また、請求項３に記載の発明は、請求項１または請求項２に記載の動画配信システムにおいて、前記サーバは、前記携帯型無線通信機から送信されてきた前記配信要求に基づいて、当該携帯型無線通信機を利用するユーザを識別するユーザ識別手段と、前記識別されたユーザのユーザ情報を記憶手段から取得するユーザ情報取得手段と、を更に備え、前記サーバの前記取得手段は、前記取得されたユーザ情報に応じた内容の動画データを取得する。
【００１１】
よって、ユーザの年齢や性別等により、ユーザ情報に合わせた動画データを配信できる。たとえば、年齢や性別により動画の好みや見やすさが異なるので、ユーザに合わせた動画データを配信することにより、ユーザの動画の受け入れられ方がよくなる。したがって動画配信のサービスの向上を図ることができる。
【発明の効果】
【００１２】
書籍に付された２次元コードを読み取り、携帯型無線通信機からの２次元コードに対応した動画データの配信要求に基づき携帯型無線通信機の種類を判別し、携帯型無線通信機の種類、すなわち携帯型無線通信機の動画データ再生能力に応じた動画データを配信するため、様々な種類の携帯型無線通信機に対しても書籍に関連した内容の動画をスムーズに配信でき、書籍の内容を的確に補足し強化できる。したがって、動画配信のサービスの向上を図ることができる。
【発明を実施するための最良の形態】
【００１３】
本発明の実施形態を図に基づき説明する。
【００１４】
図１は動画配信システムの構成を示すブロック図である。図１に示すように本実施形態に係る動画配信システム１は、動画データを再生する携帯型無線通信機２と、携帯型無線通信機２がネットワーク３を介して接続可能なサーバ４と、携帯型無線通信機２と送受信を行う無線基地局を有する通信キャリア５と、再生すべき動画データ対応する２次元コード６が付された書籍７と、備えている。
【００１５】
携帯型無線通信機２は、異なる種類があり、たとえば携帯型無線通信機２ａと携帯型無線通信機２ｂで動画の再生能力が異なる。そして書籍７に付された２次元コード６を読み取り、２次元コード６に対応する動画データの配信をサーバ４に要求し、２次元コード６に対応した動画データをサーバ４から取得して再生する。
【００１６】
ネットワーク３は、サーバ４と複数の通信キャリア５とを結び、携帯型無線通信機２とサーバ４とが通信可能にする。たとえば、インターネット、専用通信回線（たとえば、ＣＡＴＶ（Community Antenna Television）回線）、移動体通信網（無線基地局等を含む）、およびゲートウェイ等により構築されている。
【００１７】
サーバ４は、携帯型無線通信機２からの配信要求に基づき、携帯型無線通信機２の種類に応じた動画データを配信する。
【００１８】
通信キャリア５は、複数社あり、たとえば通信キャリア５ａ、５ｂである。
【００１９】
２次元コード６は、QRコードであり、動画配信の動画データが存在するウェブアドレスの情報を含んでいる。なお、２次元コード６は、たとえばＤａｔａ Ｍａｔｒｉｘ、ＰＤＦ４１７、ピクチャーアルファ（登録商標）といったコードでもよい。
【００２０】
書籍７は、実用書、小説、専門書といったページ数が多くて内容が豊富な印刷物であり、書籍７の各所に２次元コード６が付されている。そして、２次元コード６が付された近傍の書籍７の内容に対応した動画データを携帯型無線通信機２により取得する。
【００２１】
次に携帯型無線通信機２の構成および機能について図に基づき詳細に説明する。
【００２２】
図２は、動画配信システム１の携帯型無線通信機２の概要構成を示すブロック図である。なお、以下、携帯型無線通信機２の一部として携帯型無線通信機２ａについて説明する。
【００２３】
携帯型無線通信機２ａは、カメラ部１０と、無線通信部１１と、表示部１２と、操作部１３と、音声入力部１４と、音声出力部１５と、記憶部１６と、制御部１７と、システムバス１８を有している。
【００２４】
カメラ部１０は、ＣＣＤ（charge-coupled device）やＣＭＯＳ（complementary metal oxide semiconductor）等の光学センサを備え、書籍７から２次元コード６を読み取る２次元コード読取手段の一部として機能する。
【００２５】
無線通信部１１は、電波を送受信するアンテナを有し、読み取られた２次元コード６に対応する動画データの配信要求をサーバ４に送信する配信要求送信手段の一部として機能したり、サーバ４から配信された動画データを受信したりする。
【００２６】
表示部１２は、液晶表示素子またはＥＬ（Electro Luminescence）素子によって構成されていて、サーバ４から配信されてきた動画データが再生される。
【００２７】
操作部１３は、数字キー、十字キー、機能キーなどの各種キーにより構成されている。数字キーは、電話番号や文字を入力する際に用いられる。また、数字キーには、文字が割り当てられており文字情報を入力する際にも用いられる。十字キーは、メニューの選択や表示画面内の表示情報を上下左右へスクロールする際に用いられる。
【００２８】
音声入力部１４には、マイクロホンが内蔵されている。
【００２９】
音声出力部１５には、スピーカが内蔵され、動画に対応した音声が再生される。
【００３０】
記憶部１６は、ＲＡＭ（Random Access Memory）やＲＯＭ（Read Only Memory）を有し、ダウンロードされた動画データや、ストリーミング再生時の動画データを保持する。
【００３１】
制御部１７は、ＣＰＵ（Central Processing Unit）を有し、カメラ部１０と共に書籍７から２次元コード６を読み取る２次元コード読取手段として機能してカメラ部１０で取得した２次元コード６の画像を解析し、ウェブアドレスの情報を抽出する。また、無線通信部１１と共に、読み取られた２次元コード６に対応する動画データの配信要求をサーバ４に送信する配信要求送信手段として機能したり、サーバ４から配信された動画データを受信したりする。さらに、表示部１２と共にサーバ４から配信されてきた動画データを再生する再生手段として機能する。また、システムバス１８を介してカメラ部１０、無線通信部１１、表示部１２等と接続されていて、携帯型無線通信機２ａの各種制御を行う。
【００３２】
次にサーバ４の構成および機能について図に基づき詳細に説明する。
【００３３】
図３は、動画配信システム１のサーバ４の概要構成を示すブロック図である。
【００３４】
サーバ４は、通信部２０と、制御部２１と、記憶部２２を有する。
【００３５】
通信部２０は、ネットワーク３と接続するインターフェースであり、携帯型無線通信機２ａからの配信要求を受信し、動画データを携帯型無線通信機２ａに配信する配信手段の一部として機能する。
【００３６】
制御部２１は、ＣＰＵやＲＯＭやＲＡＭを有し、通信部２０と共に配信手段として機能し、サーバ４の各部を統括制御する他に、携帯型無線通信機２ａから送信されてきた配信要求に基づいて、携帯型無線通信機２ａの種類を判別する種類判別手段として機能し、また配信要求に対応する動画データのうち、判別された種類の携帯型無線通信機２ａの動画データ再生能力に応じた動画データを取得する取得手段として機能する。
【００３７】
記憶部２２は、大容量のハードディスクドライブを有し、動画データを配信するためのデータベースが構築されている。たとえば、２次元コード６が付された近傍の書籍７の内容に関連した動画データを、ストリーミング再生やダウンロード再生する動画データが保持され、動画が再生できない機種の場合、フレーム毎にフレームの連続再生するための画像データが保持されている。なお再生するための画像データは、２次元コード６に対応した元の画像データから、機種毎に画像データを予め作成して記憶部２２に保持してもよいし、配信要求がある度に、元の画像データから配信要求してきた機種毎に変換してもよい。
【００３８】
また記憶部２２には本発明用のプログラムが記憶されている。このプログラムは、たとえば、他のサーバ等からネットワーク３を介して取得されるようにしてもよいし、ＣＤ−ＲＯＭ等の媒体から読み込まれるようにしてもよい。
【００３９】
次に図４に基づき動画配信システム１の動作について説明する。
【００４０】
図４は、動画配信システム１における動作例を示すフローチャートである。
【００４１】
まず、ユーザが携帯型無線通信機２ａのカメラ部１０により、書籍７の内容に関連した動画を見たいところ２次元コード６を撮影する。携帯型無線通信機２ａの制御部１７は、カメラ部１０を介して書籍７から２次元コード（２Ｄコード）６のデータを読み取り、２次元コード６の内容を解析して動画データが存在するウェブアドレスを取得する（ステップＳ１）。
【００４２】
次に、制御部１７は、無線通信部１１を介してサーバ４に動画データの配信（動画配信）を要求する（ステップＳ２）。そしてサーバ４の制御部２１は、通信部２０を介して携帯型無線通信機２ａの動画配信要求を受信する（ステップＳ１０）。このとき動画配信要求のデータのヘッダには、携帯型無線通信機２ａに関する種類（機種）のデータが付加されている。
【００４３】
次に制御部２１は、動画配信要求のヘッダデータから携帯型無線通信機２ａの種類を判別する（ステップＳ１１）。そして制御部２１は、携帯型無線通信機２ａの種類に応じた動画データを記憶部２２から取得し（ステップＳ１２）、携帯型無線通信機２ａの種類に応じた動画データを携帯型無線通信機２ａに配信する（ステップＳ１３）。
【００４４】
次に携帯型無線通信機２ａは、通信キャリア５ａを介して携帯型無線通信機２ａの種類に応じた動画データを受信し（ステップＳ３）、携帯型無線通信機２ａの種類に応じた動画データを表示部１２に再生する（ステップＳ４）。
【００４５】
以上のように、本実施形態の動画配信システム１によれば、書籍７に付された２次元コード６を読み取り、携帯型無線通信機２からの２次元コード６に対応した動画データの配信要求に基づき携帯型無線通信機２の種類を判別し、携帯型無線通信機２の種類、すなわち携帯型無線通信機２の動画データ再生能力に応じた動画データを配信するため、様々な種類の携帯型無線通信機２ａ、２ｂ等に対しても書籍７に関連した内容の動画をスムーズに配信でき、書籍７の内容を的確に補足し強化できる。したがって、動画配信のサービスの向上を図ることができる。
【００４６】
なお、動画配信システム１におけるサーバ４の取得手段は、携帯型無線通信機２ａから配信要求が送信されてきた時刻に対応した内容の動画データを記憶部２２から取得するようにしてもよい。この場合は、書籍７の２次元コードに対応する動画の内容に対して時刻に合わせたバージョンの画像データを予め備えておく。すなわち１つのウェブアドレスに複数の動画データが関連づけられて、この各動画データが、各機種に対応できるように構成されている。
【００４７】
このように書籍７の内容により時刻に応じた動画データを配信する場合、たとえば、気功やヨーガといったエクササイズの説明や誘導等をする場合、動画データの配色や風景や音楽等を朝や夜等に合わせて変えることにより、ユーザが動画の内容を受け取りやすくなる。したがって、ユーザに対する動画配信のサービスの向上を図ることができる。
【００４８】
また、動画配信システム１におけるサーバ４の制御部２１は、携帯型無線通信機２ａから送信されてきた配信要求に基づいて、携帯型無線通信機２ａを利用するユーザを識別して、識別されたユーザのユーザ情報を記憶手段として記憶部２２から取得し、取得されたユーザ情報に応じた内容の動画データを記憶部２２から取得してもよい。
【００４９】
たとえば、ユーザ情報としてユーザの年齢や性別や好みが挙げられる。ユーザ情報は予め記憶部２２に登録しておき、携帯型無線通信機２から動画配信の要求がある毎に、ユーザを識別して、対応するユーザ情報を取得する。
【００５０】
ユーザ情報を取得する場合、ユーザを識別するために、通信キャリア５において、携帯型無線通信機２のユーザを識別するために各ユーザに割り当てられている識別情報を用いて、携帯型無線通信機２のユーザの認証を行うようにしてもよい。この識別情報は、ＷＷＷ（World Wide Web）サーバ等において取得可能な情報であり、たとえば携帯型無線通信機２からＨＴＴＰリクエストを送信する際に、そのヘッダに追加される情報である。また、ユーザが携帯型無線通信機２を変更したとしても、同一の通信キャリア内での変更（機種変更）であれば、この識別情報は変更の前後で変化しないため、機種変更後もユーザを特定することができる（実際には、電気通信事業者との契約を一度解消して、別の契約を結ばない限りは、同一の識別情報が割り当てられる）。
【００５１】
この場合、ユーザの年齢や性別等により、ユーザ情報に合わせた動画データを配信できる。たとえば、年齢や性別により動画の好みや見やすさが異なるので、ユーザに合わせた動画データを配信することにより、ユーザの動画の受け入れられ方がよくなる。したがって動画配信のサービスの向上を図ることができる。
【００５２】
なお各通信キャリア５ａ、５ｂ等に機種が異なるので、機種の判別により、各通信キャリア５ａ、５ｂ等に対応できる。
【図面の簡単な説明】
【００５３】
【図１】本発明に係る動画配信システムの構成を示すブロック図である。
【図２】図１に示す動画配信システムの携帯型無線通信機の概要構成を示すブロック図である。
【図３】図１に示す動画配信システムのサーバの概要構成を示すブロック図である。
【図４】図１に示す動画配信システムにおける動作例を示すフローチャートである。
【符号の説明】
【００５４】
１…動画配信システム
２…携帯型無線通信機
３…ネットワーク
４…サーバ
６…２次元コード
７…書籍
【図１】
2009105591.tif 000003
【図２】
2009105591.tif 000004
【図３】
2009105591.tif 000005
【図４】
2009105591.tif 000006